(57)【要約】      （修正有）【課題】ボール体が回路基板から外れることを防止でき、回路基板に電気接続されるのを確保することができるランドグリッドアレイ電気コネクタ組立体の提供すること。【解決手段】電気コネクタ組立体は、回路基板と、該回路基板に取り付けられる電気コネクタと、を備える。該電気コネクタは、絶縁本体と、絶縁本体に収容される複数の導電端子と、絶縁本体を装入する框体と、框体に組み合わせる押圧板と、框体に組み合わせるレバーと、框体を回路基板に固着する固定装置８０とを有する。【効果】衝撃と振動を受けた場合には、固定装置によって、ボール体が回路基板の溶接点から外れることを防止できる。【選択図】図１
0003116277.tif 000002
【実用新案登録請求の範囲】
【請求項１】
電気コネクタ組立体において、
該電気コネクタ組立体は、 
回路基板と、
該回路基板に取り付けられる絶縁本体と、
絶縁本体に収容される複数の導電端子と、
絶縁本体を装入する框体と、
框体に組み合わせる押圧板と、
框体に組み合わせるレバーと、
框体を回路基板に固着する固定装置と、
を備えることを特徴とする電気コネクタ組立体。
【請求項２】
前記框体は、
基部と、
基部から上向きに延在する前壁、後壁、側壁と、
基部に形成される複数の挿入孔と、
を有することを特徴とする、請求項１に記載の電気コネクタ組立体。
【請求項３】
前記回路基板には、挿入孔に対応する複数のネジ孔が形成され、
前記固定装置は、順番に対応する挿入孔とネジ孔に挿入されることを特徴とする、請求項２に記載の電気コネクタ組立体。
【請求項４】
前記挿入孔は、基部の四つの角部に対称に設けられることを特徴とする、請求項２に記載の電気コネクタ組立体。
【請求項５】
前記挿入孔は、押圧板の外側に位置することを特徴とする、請求項４に記載の電気コネクタ組立体。
【請求項６】
前記基部の中央には、収容槽が設けられ、
該収容槽の大きさは、絶縁本体の大きさより小さいことを特徴とする、請求項２に記載の電気コネクタ組立体。
【請求項７】
前記押圧板は、
中央に開設される開口と、
該開口が包囲される板状部と、
板状部の前端に位置して前へ突出する一対の係合部と、
板状部の後部に位置する押圧部と、
を備えることを特徴とする、請求項２に記載の電気コネクタ組立体。
【請求項８】
前記框体の前壁には、押圧板の一対の係合部が係合する一対の係合孔が形成されることを特徴とする、請求項７に記載の電気コネクタ組立体。
【請求項９】
前記押圧板は、側辺から下向きに突出する一対の突出壁を有し、
框体の側壁と基部を連接する部分は側壁と平行に延在し、
一対の前記突出壁を収容する一対のスロットが形成されることを特徴とする、請求項７に記載の電気コネクタ組立体。
【請求項１０】
前記レバーは、
押圧部を押圧する突出部が設けられる固持部と、
該固持部の一端から垂直に折れ曲がる作動部と、
作動部の自由端から折れ曲がる操作部と、を有することを特徴とする、請求項７に記載の電気コネクタ組立体。
【請求項１１】
前記框体には、更にレバーの固持部に係合する係合片が設けられることを特徴とする、請求項１０に記載の電気コネクタ組立体。
【考案の詳細な説明】
【技術分野】
【０００１】
本考案は電気コネクタ組立体に関し、CPUを電気接続するランドグリッドアレイ電気コネクタ組立体に関する。
【背景技術】
【０００２】
ランドグリッドアレイ電気コネクタは、体積が小さく、電気導電性が良いことから、通常、コンピュータのような電子装置に使用される。ランドグリッドアレイ電気コネクタは、CPUと回路基板とを電気接続し、CPUと回路基板との間のデータと信号の伝送を達成する。
【０００３】
図５乃至図７において、一種のランドグリッドアレイ電気コネクタ組立体１は、回路基板３と、該回路基板３に取り付けられる電気コネクタ２と、を有する。該電気コネクタ２は、絶縁本体４と、該絶縁本体４に収容される複数の導電端子５と、絶縁本体４に取り付けられる框体６と、CPU（図示せず）を押圧する押圧板７と、押圧板７に係合するレバー８と、を有する。絶縁本体４は、定位柱４２が設けられる側壁４０を具備する。框体６には、定位柱４２を収容する凹槽６２が形成される。絶縁本体４は、框体６に半田付けされ、或いは締め付けられるとともに、定位柱４２が、対応する凹槽６２に嵌め込まれる。図７において、導電端子５の末端には複数のボール体５０が設けられる。該電気コネクタ２は、ボール体５０によって回路基板３に固着される。こうした電気コネクタ組立体の構造は従来技術文献に記載されている（例えば、特許文献１参照）。
【特許文献１】中国特許第２，５２０，０１１号明細書
【０００４】
電気コネクタ２は、導電端子５のボール体５０によって、回路基板３に連接される。この時、框体６０は、回路基板３に接触しない。これにより、電気コネクタ２は、操作時に、衝撃と振動を受けた場合には、導電端子５のボール体５０が、回路基板３の溶接点から離脱し易い。従って、CPUと回路基板３との間の電気接続を確保できない。
【０００５】
従って、本考案は前記の欠点を克服するために一種の新たな電気コネクタ組立体を構成する。
【考案の開示】
【考案が解決しようとする課題】
【０００６】
本考案の目的は、こうした従来の問題点を解決する電気コネクタ組立体を提供することである。すなわち、従来技術とは異なり、ボール体が回路基板から外れることを防止でき、回路基板に電気接続されることを確保することができるランドグリッドアレイ電気コネクタ組立体が得られるようにすることである。
【課題を解決するための手段】
【０００７】
本考案は電気コネクタ組立体に関し、該電気コネクタ組立体は、回路基板と、該回路基板に取り付けられる電気コネクタと、を備える。該電気コネクタは、絶縁本体と、絶縁本体に収容される複数の導電端子と、絶縁本体を装入する框体と、框体に組み合わせる押圧板と、框体に組み合わせるレバーと、框体を回路基板に固着する固定装置と、を有する。
【考案の効果】
【０００８】
従来技術に比べ、本考案は以下の長所を有する。本考案の電気コネクタ組立体は、使用時に、衝撃と振動を受けた場合には、固定装置によって、ボール体が回路基板の溶接点から外れることを防止できる。従って、ランドグリッドアレイ電気コネクタ組立体の電気接続を確保することができる。
【考案を実施するための最良の形態】
【０００９】
図１において、ランドグリッドアレイ電気コネクタ組立体１０は、CPU（図示せず）を電気接続する。該電気コネクタ組立体１０は、回路基板２０と、該回路基板２０に取り付けられる電気コネクタ１２と、を備える。該電気コネクタ１２は、絶縁本体３０と、該絶縁本体３０に収容される複数の導電端子４０と、絶縁本体３０を包囲する框体５０と、CPUを押圧する押圧板６０と、押圧板６０に係合するレバー７０と、框体５０を回路基板２０に固着する固定装置と、を有する。本実施例における固定装置は、ネジ８０である。
【００１０】
矩形の回路基板２０には、四つのネジ孔２０２が、四つの角隅部に対称に形成される。
【００１１】
実質的に矩形の絶縁本体３０は、導電部３０４と、該導電部３０４によって包囲される矩形の中央孔３００と、導電部３０の対向する一対の側辺に設けられる二対の延在壁３０８と、を具備する。導電部３０の対向する他の一対の側辺には、CPUを保持する一対の接触面３０５を、有する。導電部３０の底部には、一対の接触部３０５に対応する一対の取付面３０６が設けられる。導電部３０には、更に、接触面３０５と取付面３０６を貫通する四つの端子槽３０７が形成される。各対の延在壁３０８の中間には、開口（参照符号なし）が形成される。
【００１２】
金属部材から製成される框体５０は、基部５０２と、基部５０２の中央に形成される矩形の収容槽５０３と、基部５０２から上向きに延在する前壁５０４と、後壁５０８と、対向して設置される一対の側壁５０６と、を有する。収容槽５０３の大きさは、絶縁本体３０の大きさより僅かに小さい。従って、絶縁本体３０を該框体５０に装入する時、框体５０と絶縁本体３０は、互いに接触する。基部５０２の四つの角隅部には、回路基板２０のネジ孔２０２に対応する四つの挿入孔５０５が、対称に形成される。側壁５０６と平行に延在する一対のスロット５０７は、それぞれ、対応する側壁５０６と基部５０２を連接する部分に形成される。
【００１３】
框体５０の前壁５０４には、一対の係合孔５０９が対称に形成される。後壁５０８には、収容槽５０３向きに折れ曲がる一対の係合片５１０が設けられる。各側壁５０６の末端には、後壁５０８向きに延在する保持部５１２が設けられる。左側に位置する側壁５０６には外向きに突出する凸状部片５１４が設けられる。
【００１４】
押圧板６０は、中央に形成される開口６０１と、該開口６０１を包囲する板状部６０２と、板状部６０２の前端に位置して前に突出する一対の係合部６０３と、一対の係合部６０３との間に設けられる定位部６０４と、板状部６０２の側辺から下向きに突出する一対の突出壁６０５と、板状部６０２の後部に位置して上向きに折れ曲がる押圧部６０６と、を備える。
【００１５】
レバー７０は、金属レバーから形成される。該レバー７０は、固持部７０２と、該固持部７０２の一端から垂直に折れ曲がる作動部７０４と、作動部７０４の自由端から折れ曲がる操作部７０８と、を有する。固持部７０２の中間には、押圧部６１０を押圧する凸状の突出部７０６が設けられる。操作部７０８は、作動部７０４と平行に延在する。
【００１６】
図２及び図３に示すように、該電気コネクタ１２を取り付ける時、先ず、導電端子４０を対応する端子槽３０７に挿入する。導電端子４０の一端は、接触面３０５から突出してCPUの導電片（図示せず）に弾性的に当接する。導電端子４０の他端には、取付面３０６から突出するボール体４０２が形成される。導電端子４０が挿入される絶縁本体３０は、框体５０の収容槽５０３に装入される。
【００１７】
次に、押圧板６０とレバー７０を、框体５０に組み合わせる。押圧板６０の突出壁６０５が、絶縁本体３０と接触して、対応するスロット５０７に嵌め込まれる。これにより、絶縁本体３０を固定するとともに、押圧板６０と框体５０との間の接触を防止できる。一対の係合部６０３は、係合孔５０９に係合する。該押圧板６０は、前壁５０４を回転中心として回転できる。押圧板６０が回転して予定の位置まで到達する時、定位部６０４は、前壁５０４を押圧し、押圧板６０が回転し過ぎて回路基板２０を叩くことを防止できる。
この状態で、前記框体５０の挿入孔５０５は、押圧板６０の外側に位置する。レバー７０の固持部７０２が、保持部５１２に保持され、且つ係合片５１０に係合する。突出部７０６は、押圧板６０の押圧部６０６に当接する。作動部７０４は、凸状部片５１４に錠止される。これにより、レバー７０が、框体５０に堅固に固着される。
【００１８】
図４において、電気コネクタ１２が回路基板２０に半田付けされる時、導電端子４０のボール体４０２が、回路基板２０の対応する溶接点に半田付けされる。この状態で、框体５０の挿入孔５０５が、対応するネジ孔２０２に位置する。次に、ネジ８０は、順番に、対応する挿入孔５０５とネジ孔２０２を貫通する。ネジ８０を下向きに締めることに従って、電気コネクタ２０は下向きに移動する。ネジ８０が予定の位置に到達した時、框体５０は、絶縁本体３０から外れて、回路基板２０に固着される。
【００１９】
ランドグリッドアレイ電気コネクタ組立体１０は、使用時に、衝撃と振動を受けた場合には、ネジ８０によって、ボール体４０２が回路基板２０の溶接点から外れることを防止できる。従って、ランドグリッドアレイ電気コネクタ組立体１０の電気接続を確保できる。
【００２０】
本実施例における框体５０は、回路基板２０にネジ８０で固着されるだけでなく、ピンのような他の装置で固着しても良い。
【００２１】
総じて、本考案の多数の特徴及び長所は、その構造及び機能が共に前述の記載により掲げられている。また、本考案に基づきなし得る細部の修正或は変更などの前記の説明は、いずれも本考案の請求範囲に属するものである。
【産業上の利用可能性】
【００２２】
本考案は電気コネクタ組立体に関し、特に、ボール体が回路基板から外れることを防止でき、回路基板に電気接続されるのを確保することができるランドグリッドアレイ電気コネクタ組立体に関する。
【図面の簡単な説明】
【００２３】
【図１】本考案の電気コネクタ組立体の分解斜視図である。
【図２】本考案の絶縁本体が框体に取り付けられる時の底面視図である。
【図３】本考案の電気コネクタ組立体の組立斜視図である。
【図４】本考案の電気コネクタ組立体の組立側視図である。
【図５】従来技術の電気コネクタ組立体の分解斜視図である。
【図６】従来技術の絶縁本体が框体に取り付けられる時の底面視図である。
【図７】従来技術の電気コネクタ組立体の組立側視図である。
【符号の説明】
【００２４】
１０  電気コネクタ組立体
２０  回路基板
３０  絶縁本体
４０  導電端子
５０  框体
６０  押圧板
７０  レバー
８０  ネジ
２０２  ネジ孔
３００  中央孔
３０４  導電部
３０５  接触面
３０６  取付面
３０７  端子槽
３０８  延在壁
４０２  ボール体
５０２  基部
５０４  前壁
５０５  挿入孔
５０６  側壁
５０７  スロット
５０８  後壁
５０９  係合孔
５１０  係合片
５１２  保持部
５１４  凸状部片
６０１  開口
６０２  板状部
６０３  係合部
６０４  定位部
６０５  突出壁
６０６  押圧部
７０２  固持部
７０４  作動部
７０６  突出部
７０８  操作部
【図１】
0003116277.tif 000003
【図２】
0003116277.tif 000004
【図３】
0003116277.tif 000005
【図４】
0003116277.tif 000006
【図５】
0003116277.tif 000007
【図６】
0003116277.tif 000008
【図７】
0003116277.tif 000009